(57)【要約】【課題】インクジェットプリント方式で褪色の少ない画像が簡単に得られるようにする。【解決手段】記録紙１２の搬送方向に第１ヘッド３０，第２ヘッド４０を離して配置する。各ヘッド３０，４０を互いに逆の方向に同時走査して、画像を記録する。第１の記録ヘッド３０に、Ｙインク吐出ノズル列５１，ＬＭインク吐出ノズル列５２、Ｍインク吐出ノズル列５３を、記録紙１２に近い方からＹ，ＬＭ，Ｍの順に形成する。第２ヘッド４０に、ＬＣインク吐出ノズル列５４，Ｃインク吐出ノズル列５５、Ｋインク吐出ノズル列５６を、記録紙１２に近い方からＬＣ，Ｃ，Ｋの順に形成する。相対的に褪色性能の良いインクほど、後に記録紙上に吐出するので、褪色に強いプリントを記録順序を変更するだけで簡単に作成することができる。【選択図】                図４
2004351677.tif 000002
【特許請求の範囲】
【請求項１】
記録紙に少なくとも複数色のインクを記録ヘッドから吐出して前記記録紙上にカラー画像を記録するインクジェットプリント方法において、
所定の順序で異なる色のインクを前記記録紙上に吐出して前記カラー画像を形成するとともに、前記複数色のインクの中で、相対的に褪色性能の良いインクを前記順序の相対的に後に前記記録紙上に吐出して記録することを特徴とするインクジェットプリント方法。
【請求項２】
前記記録紙に記録する最も順序の後のインクを顔料黒色インクとし、それ以外のインクを染料インクとして前記記録ヘッドに供給することを特徴とする請求項１記載のインクジェットプリント方法。
【請求項３】
前記記録ヘッドは一方向の走査方向のみインクを吐出して記録することを特徴とする請求項１または２記載のインクジェットプリント方法。
【請求項４】
前記記録紙の搬送方向に複数の前記記録ヘッドを配置するとともに、前記複数の記録ヘッドの各々が前記記録紙の記録エリアの全幅を走査可能とし、
前記複数の記録ヘッドのうち少なくとも二つの記録ヘッドは互いに逆の方向へ同時に走査することを特徴とする請求項１ないし３いずれか一つ記載のインクジェットプリント方法。
【請求項５】
記録紙に少なくとも複数色のインクを記録ヘッドから吐出して前記記録紙上にカラー画像を記録するインクジェットプリンタにおいて、
所定の順序で異なる色のインクを前記記録紙上に吐出して前記カラー画像を形成するとともに、前記複数色のインクの中で、相対的に褪色性能の良いインクを前記順序の相対的に後に前記記録紙上に吐出して記録することを特徴とするインクジェットプリンタ。
【発明の詳細な説明】
【０００１】
【発明の属する技術分野】
本発明は、インクジェットプリント方法及びプリンタに関するものである。
【０００２】
【従来の技術】
インクジェット記録は、インク滴を噴射して記録紙に付着させ、インクを記録紙に浸透させながら乾燥させて定着させる方式である。したがって、インク定着後は染料が記録紙の表面に残ることになり、染料が紫外線や空気などに直接触れて褪色し、記録濃度が低下してしまう。このように、インクジェット記録では光やオゾンによる褪色性能が他の記録方式に比べて劣っており、プリントの褪色が問題となっている。
【０００３】
そこで、例えば特許文献１では、インクジェット記録が行われた記録紙の表面に紫外線硬化性樹脂を塗布し、紫外線を照射してその表面の樹脂を硬化させて透明保護層を形成することが提案されている。
【０００４】
また、特許文献２では、透明プラスチックフィルムにこのフィルムよりも低温で溶融する熱可塑性樹脂を塗布してインク受容体を形成し、インクジェットノズルからインク受容体の熱可塑性樹脂の塗布面側にインク滴を噴射してインクジェット記録を行い、インク受容体の熱可塑性樹脂の塗布面側に記録媒体に密着するように重ね合わせ、加熱により熱可塑性樹脂を溶融して、インク受容体と記録媒体とを接着することが提案されている。
【０００５】
【特許文献１】
特開昭６２−１０５６９１号公報（第３頁）
【特許文献２】
特開平６−２３９７３号公報（第２頁、図１）
【０００６】
【発明が解決しようとする課題】
しかしながら、特許文献１の記録方法では、紫外線硬化樹脂を塗布するための塗布手段や、塗布後に硬化させるための紫外線ランプなどが必要になり、構成が複雑になるという問題がある。また、特許文献２の記録方法では、熱可塑性樹脂層を有するインク受容体を用いたり、接着のためのヒートローラを必要とし、同様に構成が複雑になるという問題がある。
【０００７】
また、上記各特許文献のように、保護層で覆うことで褪色性能を上げる構成に代えて、褪色性能の優れた顔料インクを用いることも考えられるが、この顔料インクは染色インクに比べて褪色には強いものの、色表現域が狭い、彩度が低い、光沢紙に記録すると光沢度が低下するなどの欠点があり、染色インクに置き換えることは簡単ではない。
【０００８】
本発明は上記課題を解決するためのものであり、構成簡単にして褪色に強いプリントが得られるようにしたインクジェットプリント方法及びプリンタを提供することを目的とする。
【０００９】
【課題を解決するための手段】
上記目的を達成するために、本発明のインクジェットプリント方法及びプリンタでは、所定の順序で異なる色のインクを前記記録紙上に吐出して前記カラー画像を形成するとともに、前記複数色のインクの中で、相対的に褪色性能の良いインクを前記順序の相対的に後に前記記録紙上に吐出して記録することを特徴とする。
【００１０】
なお、前記記録紙に記録する最も順序の後のインクを顔料黒色インクとし、それ以外のインクを染料インクとして前記記録ヘッドに供給することが好ましい。また、前記記録ヘッドは一方向の走査方向のみインクを吐出して記録することが好ましい。プリント方式はラインプリント方式、シリアルプリント方式のいずれにも適用することができる。さらに、シリアルプリント方式の場合には、前記記録紙の搬送方向に複数の前記記録ヘッドを配置するとともに、前記複数の記録ヘッドの各々が前記記録紙の記録エリアの全幅を走査可能とし、前記複数の記録ヘッドのうち少なくとも二つの記録ヘッドは互いに逆の方向へ同時に走査することが好ましく、この場合には複数の記録ヘッドの移動に伴う振動の発生が抑えられる。
【００１１】
【発明の実施の形態】
図１は本発明を実施したインクジェットプリンタの概略を示す側面図であり、図２は同平面図である。インクジェットプリンタ１０には記録紙ロール１１が装填されている。図示しない給紙ローラにより記録紙ロール１１から引き出された記録紙１２は、第１，第２副走査ローラ対１３，１４と第１〜第３搬送ローラ対１５〜１７とによってニップ搬送される。各ローラ対１３〜１７は、送りローラ１３ａ〜１７ａと押えローラ１３ｂ，１８とにより構成されている。各副走査ローラ対１３，１４の送りローラ１３ａ，１４ａはゴムローラから構成されており、記録紙１２を確実に搬送する。そして、各副走査ローラ対１３，１４は副走査モータ９４により回転駆動され、各搬送ローラ対１５〜１７は搬送モータ９７により回転駆動される。
【００１２】
また、他の送りローラ１５ａ〜１７ａはポリアセタール等の樹脂素材から構成されている。そして、第２副走査ローラ対１４及び第１〜第３搬送ローラ対１５〜１７の押えローラ１８としてはスターホィールが用いられており、印画面への接触面積が小さくされている。このスターホィールは、円周方向に小さな突起を有しており、この突起を介して記録紙に接触する。また、各ローラ対１３〜１７の間にはガイド板１９が配置されており、このガイド板１９は記録紙１２を次のローラ対に案内する。
【００１３】
第１及び第２副走査ローラ対１３，１４の間には第１記録部２１が、第２副走査ローラ対１４と第１搬送ローラ対１５との間には第２記録部２２が、第１搬送ローラ対１５の出口から第２搬送ローラ対１６の出口と間には乾燥部２３が、第２及び第３搬送ローラ対１６，１７の間にはカッタ部２４が設けられている。また、第３搬送ローラ対１７の記録紙出口側には排紙トレイ２５が設けられている。
【００１４】
第１記録部２１は、第１インクジェットヘッド（以下、単に第１ヘッドという）３０と、キャリッジ３１と、ガイド軸３２，３３と、主走査機構３４（図２参照）とを備えている。ガイド軸３２，３３は記録紙１２の搬送方向（副走査方向Ｓ）に直交する記録紙幅方向（主走査方向Ｍ）に配置されており、キャリッジ３１を主走査方向に案内する。キャリッジ３１には第１ヘッド３０が固定されており、このキャリッジ３１は主走査機構３４によりガイド軸３２，３３に沿って移動する。第２記録部２２も第１記録部２１と同様に構成されており、第２ヘッド４０、キャリッジ４１、ガイド軸４２，４３及び主走査機構４４を備えている。
【００１５】
図１及び図３に示すように、第１及び第２記録部２１，２２の各キャリッジ３１，４１には第１及び第２センサ４５，４６が配置されている。これらセンサ４５，４６は同一のエンコーダ用パターンフィルム４７のストライプ状のエンコードパターン４８を読み取る。各センサ４５，４６が干渉することがないように、第１センサ４５はパターンフィルム４７の上側を移動し、第２センサ４６はパターンフィルム４７の下側を移動する。これらセンサ４５，４６によるエンコードパターン４８の読取信号はコントローラ５０（図６参照）に送られて、この読取信号により第１及び第２記録部２１，２２における各ヘッド３０，４０の吐出タイミングの同期が図られる。
【００１６】
図４は各ヘッド３０，４０の初期位置を示しており、第１ヘッド３０が記録紙１２の一方の側縁に位置し、第２ヘッド４０が記録紙１２の他方の側縁に位置する。第１ヘッド３０には、イエロー（Ｙ）インク吐出ノズル列５１，ライトマゼンタ（ＬＭ）インク吐出ノズル列５２、マゼンタ（Ｍ）インク吐出ノズル列５３が副走査方向Ｓに形成されている。これら各ノズル列５１〜５３は主走査方向Ｍに離して並べれており、記録紙１２に近い方からＹ，ＬＭ，Ｍの順になっている。
【００１７】
また、第２ヘッド４０には、ライトシアン（ＬＣ）インク吐出ノズル列５４，シアン（Ｃ）インク吐出ノズル列５５、ブラック（Ｋ）インク吐出ノズル列５６が副走査方向Ｓに形成されている。これら各ノズル列５４〜５６も主走査方向Ｍに離して並べれており、記録紙１２に近い方からＬＣ，Ｃ，Ｋの順になっている。
【００１８】
各ノズル列５１〜５６は、図４（Ｂ）に拡大して示すように、ノズル５７を記録解像度の半分のピッチで配列して構成されており、ノズル列の長さ（記録幅）はＷとされている。各ノズル列５１〜５６にはキャリッジに搭載された図示しないインクカートリッジから対応するインクが供給される。なお、インクカートリッジはキャリッジ搭載型でヘッドとは別個に取り付けられるものの他に、インクカートリッジとヘッドとを一体化したものであってもよい。さらには、インクカートリッジに代えて、インクタンクをインクジェットプリンタ１０の本体に設け、チューブを介して各ヘッドにインクを供給してもよい。
【００１９】
図１に示すように、各ヘッド３０，４０は記録紙１２から外れた位置で、図示しないクリーニングユニットによりノズルのクリーニング及び待機時のキャッピングが行われる。
【００２０】
乾燥部２３は、ヒータ６０，６１とファン６２とファンケーシング６３とから構成されており、ヒータ６０，６１で高温にされてファン６２により送られる乾燥風によっての記録面への吹き付けと、ヒータ６０，６１の輻射熱とによって記録紙１２が乾燥される。
【００２１】
カッタ部２４は、カッタユニット６５とシフト機構６６と図示しない切り屑トレイとから構成されている。カッタユニット６５は、カッタ刃６５ａやカッタ駆動モータ９６（図６参照）を備えており、図５に示すように、記録紙１２の幅方向に伸びた切断線６７に沿って記録紙１２を切断する。切断線６７は各記録エリア６８の境界部６９を挟むように前後に設定される。この切断線６７による切断によって各記録エリア６８の境界部６９が切り落とされ、各記録エリア６８毎の縁無しプリント７０（図１参照）とされる。この縁無しプリント７０は、第３搬送ローラ対１７によって排紙トレイ２５に排出される。なお、図５における符号１２ａは、記録開始の際に第２副走査ローラ対１４にニップされる領域であり、この先端領域１２ａはプリント後に切断線６７で切断される。
【００２２】
前記切断線６７に沿う切断は、各ヘッド３０，４０の主走査の時間内、すなわち記録紙１２が停止しているときに行われる。したがって、各境界部６９における前後２回の切断は、連続する主走査の２回の時間の中で行われる。この各境界部６９を含む切り屑は切り屑トレイに落下する。この切り屑トレイは、シフト機構６６によるカッタ位置の変動に伴う切断位置をカバーする大きさで形成されており、切り屑が確実にトレイに収納される。
【００２３】
図１及び図２に示すように、シフト機構６６は、ガイド軸７１，７２、カッタ移動モータ９５、ウォームギヤ７３及びラック７４、移動台７５、リミットセンサ７６，７７、カッタ位置センサ７８などを備えている。カッタ移動モータ９５が回転することで、ウォームギヤ７３及びラック７４を介して移動台７５を副走査方向の任意位置へ移動させる。リミットセンサ７６，７７は移動台７５の移動限界位置を検出する。また、カッタ位置センサ７８は移動台７５の初期位置を検出するもので、これによりカッタ位置の初期設定が行われる。
【００２４】
なお、切断位置をカバーする大きさで切り屑トレイを形成する代わりに、カッタユニット６５のカット位置に対応する位置に切り屑トレイを固定してもよく、この場合には、切り屑トレイがカッタユニット６５と一体化されるため、カット位置が変更しても切り屑トレイも追随し、切り屑トレイを小さくすることができる
【００２５】
図６において、システムコントローラ５０はシステム全体の動作及び画像処理を制御する。ホストコンピュータとしてのパソコンやメモリカードなどからの画像信号は入力インターフェイス８０を介して入力され、画像処理部８１に送られる。画像処理部８１では、第１ヘッド３０、第２ヘッド４０へのインク色に合わせたノズル駆動信号を各ヘッド３０，４０に出力する。
【００２６】
システムコントローラ５０には、この他に第１及び第２ヘッド用の主走査駆動回路８２，８３、主走査制御用のエンコーダ信号処理回路８４、副走査駆動回路８５、カット位置制御回路８６、センサ信号処理回路８７、カッタ駆動回路８８、搬送ローラ駆動回路８９、キー入力部９０、ディスプレイ９１などが接続されており、これらには更に各モータ９２〜９７及びセンサ４５，４６，７６〜７８などが接続されている。
【００２７】
次に本実施形態の作用を説明する。図６に示すように、パソコンやメモリカードから入力インターフェイス８０を介して画像データが入力された後に、キー入力部９０を介して、プリント開始操作が行われると、まず、副走査駆動回路８５により副走査モータ９４が回転駆動され、記録紙１２の記録エリア７８の先頭が第１記録部２１に送られる。この後、第１及び第２ヘッド用の主走査駆動回路８２，８３を介して各主走査モータ９２，９３が回転し、図４に示すように、第１ヘッド３０が矢印Ａ１の方向に移動し、第２ヘッド４０が矢印Ａ２の方向に移動する。この移動の際に第１及び第２センサ４５，４６によりエンコーダ用パターンフィルム４７のエンコードパターン４８が読み取られ、この読取信号に基づき各インク吐出ノズル５７のインク吐出タイミングの同期がとられる。これにより、記録エリアに対して、正確な吐出位置で第１ヘッド３０の各ノズル５７からインクを吐出することができる。
【００２８】
各インク吐出ノズル５７は画像処理部８１からのノズル駆動信号によって駆動制御され、これにより記録エリアにインクが吐出されて画像がＷの幅で主走査方向に記録される。このとき、第１ヘッド３０の移動に伴い第２ヘッド４０も走査され、しかもこの走査は互いに反対方向への移動となるため、筐体全体の振動がキャンセルされて、外部に振動等の悪影響を及ぼすことがなくなる。
【００２９】
主走査１回分の記録が終了すると、第１及び第２ヘッド３０，４０は高速で矢印Ｂ１，Ｂ２に示すように、初期位置に戻される。また、このヘッド戻し中に記録紙１２がＷ／２だけ送られて副走査される。次に、第１行の残り半分の画素と次の第２行の半分の画素とが第１ヘッド３０により記録される。このときも、第１ヘッド３０の送りに同期して他の第２ヘッド４０も反対方向に送られて、筐体全体の振動がキャンセルされる。この第２ヘッド４０の主走査時には未だ記録エリアが第２ヘッド４０に到達していないため、インク吐出は行われない。
【００３０】
以下、各行の後半分と次の行の前半部との画素の記録（主走査）と記録紙のＷ／２の送り（副走査）とが行われ、２回の主走査によって半行分の画像が完成される。図７は、この記録の一例を表すものである。本実施形態では、各ノズル列のノズルを記録解像度の半分のピッチで形成し、２回の記録で１画素を記録するため、最初の行ではＷ／２に相当する画素のみを記録し、同様に最終の行でもＷ／２に相当する画素のみを記録する。すなわち、最初の主走査では、記録エリアに対して１行分の半分のＷ／２を、各ノズル列の記録紙送り下流側の半分を用いて、記録する。次の第２回の主走査では、各ノズル列の全ノズルを用いて、半行分画像データをシフトさせた状態で、第１行分の前半部分の残り半分と、第１行の後半部分の半分とを記録する。次に、第３回の主走査で同様に、第１行の後半部分の残り半分と次の第２行の前半部分の半分とを記録する。以下、各行が次々と記録され、最後の行の最終走査では、最終行の後半部分の残り半分が記録され、１画像分の記録を終了する。
【００３１】
記録エリアの先端が第２ヘッド４０に達すると、第１ヘッド３０と同じようにして、第２ヘッド４０にて、ＬＣ，Ｃ，Ｋの各色について記録が行われる。このとき、第１及び第２ヘッド３０，４０は互いに反対方向で走査移動するように同期がとられているため、筐体全体の振動の発生が抑えられる。そして、第１ヘッド３０による記録エリアの記録が終了し、次にプリントする画像がない場合には、第１ヘッド３０の主走査移動のみが第２ヘッド４０に同期させて行われ、このときのインク吐出は行われない。
【００３２】
第１ヘッド３０では、各ノズル列５１〜５３によってＹ，ＬＭ，Ｍの順に記録紙１２にインクが吐出され、第２ヘッド４０では、各ノズル列５４〜５６によってＬＣ，Ｃ，Ｋの順に記録紙１２にインクが吐出される。これにより、褪色の少ないＫ，Ｃ，ＬＣが最後の方に記録されることにより、より褪色が少ない画像を記録することができる。特に、褪色の強いインクから弱いインクの順がＫ，Ｃ，ＬＣ，Ｍ，ＬＭ，Ｙの順であれば、最も褪色の少ない画像が得られる。また、本実施形態では、Ｋのインクを褪色の少ない顔料インクとし、他のインクを染料インクとしているので、最後に記録されるＫのインクが最も褪色に強いインクとなるため、全体として褪色の少ない画像が得られる。しかも、Ｋのみを顔料インクとし、他の色は染料インクとしているので、顔料インクのように、色表現域が狭くなることや、彩度が低くなることがなく、高品質な画像が得られる。
【００３３】
第１及び第２記録部２１，２２で、Ｙ，ＬＭ，Ｍ，ＬＣ，Ｃ，Ｋの各色が記録されたフルカラー画像は乾燥部２３に送られて各色インクが乾燥される。乾燥を終了した記録紙１２はカッタ部２４に送られる。
【００３４】
カッタ部２４では、副走査送り回数に基づき各画像の境界部６９を検出して、この位置でカッタユニット６５を作動させて、各画像毎に切り離してプリント７０にし、これを排出トレイ２５に排紙する。記録紙１２の先端部がカッタ部２４の位置制御範囲内に入るタイミングは、第２ヘッド４０の記録開始位置からの距離を副走査の１回分の送り距離：Ｗ／２で割った値だけ副走査送りしたことで計算される。したがって、計算結果の端数分の距離をカッタ移動モータ９５で駆動して位置制御することにより、図５に示すように隣接する記録エリア６８の境界部６９で記録紙１２を切り離すことができる。なお、残された未記録の記録紙先端は第２副走査ローラ対１４の出口位置まで戻されて、待機状態となる。
【００３５】
上記実施形態では一方向記録方式を採用して、各インクの記録順序が常に一定になるようにしたが、これに代えて、往復記録方式としてもよい。この場合には、往復記録によって記録時間は短くなるものの、往復の非対称性に基づくばらつきで画質が劣化する。さらに、第２ヘッド４０における記録で、各行の半分の画素は褪色に強いＫが最後に記録されるものの、残りの半分の画素はＫ，Ｃ，ＬＣの順となってしまい、色むらの原因にもなり、また褪色に強いインクが常に最後の記録にならないので、上記一方向記録方式のものに比べて褪色特性が若干低下する。しかし、褪色に弱いＹ，ＬＭ，Ｍなどが第１ヘッド３０で先に記録されているため、従来の１ヘッド方式のものに比べて、全体として褪色特性が低下することがなくなる。
【００３６】
褪色の強い／弱いの試験方法は、一般にキセノン光や蛍光灯での加速露光方式や、オゾン発生器からのオゾン雰囲気中への曝露試験で行われる。光やオゾンは記録紙１２のインク受容層の表面の方がより強度が強いので、光やオゾンによる褪色の少ない（褪色に強い）インクを相対的に後で記録することにより、褪色し易い（褪色に弱い）インクの表面を覆う効果により、全体として褪色の少ない画像が得られる。
【００３７】
また、上記実施形態では、２つのインクジェットヘッド３０，４０を用いたが、用いるヘッドの個数はこれに限らず、３個以上であってもよい。好ましくは偶数個用いて、これらを２個を１組とし、走査方向を変えて同期させて記録を行い、ヘッド移動による振動の発生を抑えることが好ましい。また、奇数個の場合には、２個１組として同期させて異なる方向にヘッドを移動させて記録することで、偶数個の場合に比べて振動低減率は落ちるものの同様に振動の発生が抑えられる。
【００３８】
図８に第１〜第４ヘッド１０１〜１０４を用いたプリンタの要部を示す。図８は各ヘッド１０１〜１０４の初期位置を示しており、第１及び第３ヘッド１０１，１０３が記録紙１２の一方の側縁に位置し、第２及び第４ヘッド１０２，１０４が記録紙１２の他方の側縁に位置する。第１ヘッド１０１には、Ｙインク吐出ノズル列１１１，レッド（Ｒ）インク吐出ノズル列１１２が副走査方向Ｓに形成されている。これらノズル列１１１，１１２は主走査方向Ｍに離して並べれており、記録紙１２に近い方からＹ，Ｒの順になっている。
【００３９】
また、第２ヘッド１０２には、ＬＭインク吐出ノズル列１１３、Ｍインク吐出ノズル列１１４が同様に形成されており、記録紙１２に近い方からＬＭ，Ｍの順になっている。第３ヘッド１０３には、記録紙１２に近い方から順にＬＣインク吐出ノズル列１１５、Ｃインク吐出ノズル列１１６が形成されており、第４ヘッド１０４には、記録紙１２に近い方から順に第１ブラック（Ｋ１）インク吐出ノズル列１１７、第２ブラック（Ｋ２）インク吐出ノズル列１１８がそれぞれ１画素分ずれた並びで形成されている。これら各ノズル列１１１〜１１８の各ノズルは、記録解像度の半分のピッチで形成されており、２回の主走査によりＷの幅分の１行記録が行われる。
【００４０】
そして、上記実施形態と同じように、第１及び第２ヘッド１０１，１０２の各センサ１２１，１２２によって第１エンコーダ用パターンフィルム１２３からエンコードパターンを読み取り、第３及び第４ヘッド１０３，１０４の各センサ１２４，１２５によって第２エンコーダ用パターンフィルム１２６からエンコードパターンを読み取って、インク吐出タイミングの同期が取られる。
【００４１】
この第２実施形態における記録モードは、Ｋ１，Ｃ，ＬＣ，Ｍ，ＬＭ，Ｙの６色で記録する第１記録モードと、Ｋ１，Ｒの２色で記録する第２記録モードと、Ｋ１，Ｋ２の単色で記録する第３記録モードとがあり、これらが選択可能になっている。
【００４２】
第１記録モードでは第１〜第４ヘッド１０１〜１０４を用い、奇数番と偶数番の２個ずつを互いに主走査を逆方向にする。また、副走査はＷ／２ずつ行う。ここで、褪色に強いインクの順は、Ｋ，Ｃ，ＬＣ，Ｍ，ＬＭ，Ｒ，Ｙの順であり、褪色に弱い順から記録されていくことによって、褪色に強いインク層が上層となり全体として褪色に強いプリントが得られる。また、第１及び第３ヘッド１０１，１０３がＡ１方向に移動するときに第２及び第４ヘッド１０２，１０４とがＡ１とは逆のＡ２方向に移動するため、振動の発生が抑えられる。
【００４３】
第２記録モードでは、第１ヘッド１０１のＲインク吐出ノズル列１１２と第４ヘッド１０４のＫ１インク吐出ノズル列１１７とを用いて、これらヘッド１０１，１０４を互いに逆方向に主走査する。また、副走査はＷ／２ずつ行う。この場合にも、ヘッド１０１，１０４の主走査により発生する振動を抑えることができる。
【００４４】
第３記録モードでは、第４ヘッド１０４の１回の主走査で、１画素分ずれた並びのＫ１，Ｋ２の各ノズル列１１７，１１８からインクを吐出するので、上記第１及び第２記録モードのように間引き記録とはならず、副走査はＷずつ行われる。この第４ヘッド１０４の主走査に同期して、第３ヘッド１０３が逆方向に主走査され、この第３ヘッド１０３ではインクは吐出されない。この第３記録モードでは、第３及び第４ヘッド１０３，１０４が異なる方向に主走査されるため、振動の発生が抑えられる。
【００４５】
なお、各ヘッドにおけるインク吐出ノズル列の配置やピッチなどは上記各実施形態のものに限られず、適宜変更してよい。また、上記実施形態では、シリアルプリント方式を例にとって説明したが、これに代えて、ラインプリント方式のインクジェットプリンタに本発明を実施してもよく、この場合にも褪色の少ない画像が得られる。
【００４６】
図９に示すように、ラインプリント方式のインクジェットプリンタ１２４では、副走査ローラ対１２５，１２６により送られる記録紙１２に対して、褪色に弱いインクから順に記録ヘッド１３１〜１３６が記録紙１２の送り方向に並べて構成されている。なお、副走査ローラ１２６の押えローラ１８としてはスターホィールが用いられている。また、図２に示す実施形態と同一構成部材には同一符号を付して重複した説明を省略している。第１ヘッド１３１にはＹインク吐出ノズル列１４１が、第２ヘッド１３２にはＬＭインク吐出ノズル列１４２が、第３ヘッド１３３にはＭインク吐出ノズル列１４３が、第４ヘッド１３４にはＬＣインク吐出ノズル列１４４が、第５ヘッド１３５にはＣインク吐出ノズル列１４５が、第６ヘッド１３６にはＫインク吐出ノズル列１４６が主走査方向に形成されている。これら各ノズル列には図示しないタンクから対応するインクが供給される。また、各ヘッド１３１〜１３６の記録紙送り方向下流側には必要に応じて図示しない乾燥部が設けられる。乾燥部はヒータ及びファンから構成されるが、これに限られずヒータやファン単体のみから構成したものであってもよい。
【００４７】
なお、各ヘッドに各インク吐出ノズル列をそれぞれ一つずつ形成したが、これに限られず、各ヘッドに各インク吐出ノズル列を複数列形成し、例えば第１ヘッドでＹとＬＭとＭとを記録し、次の第２ヘッドでＬＣとＣとＫとを記録してもよい。更には、一つのヘッドで全ての色のインクを記録してもよい。
【００４８】
【発明の効果】
本発明によれば、所定の順序で異なる色のインクを記録紙上に吐出してカラー画像を形成するとともに、前記複数色のインクの中で、相対的に褪色性能の良いインクを前記順序の相対的に後に前記記録紙上に吐出して記録するようにしたから、褪色に強いプリントを記録順序を変更するだけで簡単に作成することができる。また、記録紙に記録する順序の最も遅いインクを顔料インクの黒色インクとし、それ以外のインクを染料インクとすることにより、より一層褪色に強いプリントが簡単に得られる。
【図面の簡単な説明】
【図１】本発明を実施したインクジェットプリンタを示す概略の側面図である。
【図２】同平面図である。
【図３】第１及び第２ヘッドの同期をとるためのエンコーダ用パターンフィルムと各センサとを示す斜視図である。
【図４】（Ａ）は第１及び第２ヘッドの主走査動作を説明するための概略の平面図であり、（Ｂ）はノズル列の一部を示す拡大した平面図である。
【図５】記録紙に記録された記録エリアと切断線との一例を示す平面図である。
【図６】インクジェットプリンタの制御ブロック図である。
【図７】主走査による記録状態を順に示す説明図である。
【図８】第１〜第４のインクジェットヘッドを有する別の実施形態の要部を示す平面図である。
【図９】ラインプリント方式のインクジェットプリンタの要部を示す平面図である。
【符号の説明】
１０  インクジェットプリンタ
１２  記録紙
１３，１４  副走査ローラ対
１５〜１７  搬送ローラ対
２１  第１記録部
２２  第２記録部
２３  乾燥部
３０  第１ヘッド
４０  第２ヘッド
５１，１１１  イエロー（Ｙ）インク吐出ノズル列
５２，１１３  ライトマゼンタ（ＬＭ）吐出ノズル列
５３，１１４  マゼンタ（Ｍ）インク吐出ノズル列
５４，１１５  ライトシアン（ＬＣ）インク吐出ノズル列
５５，１１６  シアン（Ｃ）吐出ノズル列
５６  ブラック（Ｋ）インク吐出ノズル列
５７  ノズル
１０１〜１０４  第１〜第４ヘッド
１１２  レッド（Ｒ）吐出ノズル列
１１７  第１ブラック（Ｋ１）インク吐出ノズル列
１１８  第２ブラック（Ｋ２）インク吐出ノズル列
【図１】
2004351677.tif 000003
【図２】
2004351677.tif 000004
【図３】
2004351677.tif 000005
【図４】
2004351677.tif 000006
【図５】
2004351677.tif 000007
【図６】
2004351677.tif 000008
【図７】
2004351677.tif 000009
【図８】
2004351677.tif 000010
【図９】
2004351677.tif 000011